(57)【要約】【課題】  特殊な糸を使用することなく、目の詰んだ伸縮性の高い１×１リブ組織を筒状編地として編成することができる４枚ベッド横編機での筒状１×１リブ編成方法、およびデザイン装置を提供する。【解決手段】  前（Ｆ）および後（Ｂ）の針床に付属する編地２，３がそれぞれ下針床の編針に係止され、上針床はすべて空き編針４となっている（ａ）の状態ではなく、表目２ａ，３ａを下針床で一つおきの編針に係止し、下針床の中間の編針を、対向側に属する編地の裏目編成に使用可能なように空き編針４としておく（ｂ）を中間状態とする。（ｂ）から（ｃ）と（ｂ）とに交互に遷移して１×１リブ組織を編成する。下針床間で歯口１を交互に横断する渡り糸２ｄは、下針床と対向する上針床との間を交互に横断する渡り糸よりも短くなるので、目の詰んだ伸縮性の高い１×１リブ組織を編成することできる。【選択図】  図１
2007291551.tif 000002
【特許請求の範囲】
【請求項１】
歯口を挟む両側にそれぞれ上下の針床を備える４枚ベッド横編機で、表目と裏目とが交互に繰返される１×１リブ組織の編地を、両側にそれぞれ付属させながら、各側に付属する編地の両端同士を連結して筒状に編成する方法において、
各側に付属する編地を、下針床では１本おきの編針に表目を係止し、その直上の上針床の編針では裏目を係止して、下針床および上針床で編目を係止する編針間の下針床および上針床に空き編針をそれぞれ残し、一方側で編目を係止する編針が他方側の空き編針に対向する状態を中間状態として、
中間状態から、一方側の上針床の編針に係止する裏目を他方側の下針床の空き編針に移す目移しと、
目移しを受けた他方側の下針床の編針による裏目形成、および一方側の下針床で表目を係止する編針による表目形成で行う一方側の針床に付属する編地の１×１リブ編成と、
他方側の下針床で編成した裏目を一方側の下針床で表目を係止する編針の直上の上針床の編針で係止する中間状態に戻す目移しとを、
両側に付属する編地に対して交互に行うことを特徴とする４枚ベッド横編機での筒状１×１リブ編成方法。
【請求項２】
前記１×１リブ組織の筒状編地は、止め編成と袋編成とによる編出し部に続いて編成され、
１×１リブ組織の編成後に、前記歯口を挟んで対向する下針床間および対向する上下針床間での目移しに必要な空き編針を形成しながら、
前記一方側に付属する編地のうちで、前記他方側の下針床で編成された裏目を１つおきに、一方側の下針床で、該裏目に隣接する表目を係止する編針間の編針に目移しする第1の一方側裏目移しと、
他方側に付属する編地のうちで、一方側の下針床で編成された裏目を１つおきに、他方側の下針床で、該裏目に隣接する表目を係止する編針間の編針に目移しする第1の他方側裏目移しと、
一方側に付属する編地の残りの裏目を、一方側の下針床の編針に目移しする第2の一方側裏目移しと、
他方側に付属する編地の残りの裏目を、他方側の下針床の編針に目移しする第２の他方側裏目移しとを含む編目の配置変えを行い、
第２の一方側裏目移しまたは第２の他方側裏目移しのうちの少なくとも一方では、一方側および他方側の双方に付属する編地を歯口でそれぞれ交差させること
を特徴とする請求項１記載の４枚ベッド横編機での筒状１×１リブ編成方法。
【請求項３】
前記止め編成と袋編成とによる編出し部は、止め編成後に袋編成を行うように、上針床と下針床とで編成することを特徴とする請求項２記載の４枚ベッド横編機での筒状１×１リブ編成方法。
【請求項４】
前記止め編成と袋編成とによる編出し部は、前記一方側に付属する編地への止め編成後に該編地への袋編成の一部を編成し、前記他方側に付属する編地への止め編成後に該編地への袋編成と一方側に付属する編地への袋編成の残りとを編成するように、下針床のみで編成することを特徴とする請求項２記載の４枚ベッド横編機での筒状１×１リブ編成方法。
【請求項５】
歯口を挟む両側にそれぞれ上下の針床を備える４枚ベッド横編機で、表目と裏目とが交互に繰返される１×１リブ組織の編地を、両側にそれぞれ付属させながら、各側に付属する編地の両端同士を連結して筒状に編成するための編成データを生成するデザイン装置であって、
各側に付属する編地を、下針床では１本おきの編針に表目を係止し、その直上の上針床の編針では裏目を係止して、下針床および上針床で編目を係止する編針間の下針床および上針床に空き編針をそれぞれ残し、一方側で編目を係止する編針が他方側の空き編針に対向する状態を中間状態として、
中間状態から、一方側の上針床の編針に係止する裏目を他方側の下針床の空き編針に移す目移しと、
目移しを受けた他方側の下針床の編針による裏目形成、および一方側の下針床で表目を係止する編針による表目形成で行う一方側の針床に付属する編地の１×１リブ編成と、
他方側の下針床で編成した裏目を一方側の下針床で表目を係止する編針の直上の上針床の編針で係止する中間状態に戻す目移しとを、
両側に付属する編地に対して交互に行うように、編成データを生成することを特徴とするデザイン装置。
【発明の詳細な説明】
【技術分野】
【０００１】
本発明は、歯口の両側でそれぞれ上下に針床を有し、歯口を挟んで対向する上と下との針床間および下同士の針床間での目移しが可能で、一方側の上および下の針床に対して他方側の上および下の針床が一体的にラッキング可能な４枚ベッド横編機での筒状１×１リブ編成方法、およびデザイン装置に関する。
【背景技術】
【０００２】
従来から、たとえばセータなどの衣料を、パーツに分けて編成して縫い合せる代りに、筒状の編地として一体的に編成可能であることが知られている（たとえば、特許文献１および特許文献２参照。）。筒状の編地は、前後の針床にそれぞれ付属する編地を、編幅の両端を前後の針床間でそれぞれ連結するように編糸を周回させながら編成することで得られる。セータなどは、裾や袖口を裾ゴムと呼ばれるリブ組織を含む編地とする必要がある。リブ組織などでは表目と裏目とで構成され、前後両方針床を使用して編成される。筒状編地の前後の一方の針床に付属する編地を前後両方の針床を使用して編成するためには、編成に支障が生じないように、前後の他方に付属する編地を係止しておかなければならない。
【０００３】
歯口を挟んで前後に一対のみの針床が設けられる２枚ベッド横編機でも、一方の針床に付属する編地の編成用に１本おきの編針を使用し、使用する編針の中間の編針を他方の針床に付属する編地の編成用に使用すれば、表目と裏目とを含む筒状編地を編成することは可能である（たとえば、特許文献３参照。）。しかしながら、このような針抜き編成では、針床での編針の配列ピッチに対して編成可能な編地の編目が粗くなってしまう。
【０００４】
表目と裏目とを含む編地を筒状に編成する際には、編針を編地の編成と係止とに使用するので、４枚ベッド横編機が好適に使用される。
【０００５】
図２２は、特許文献１の第４図〜第１０図に記載されているような、４枚ベッド横編機での筒状１×１リブ編成方法の基本的な考え方を示す。前（Ｆ）側の上下の針床と後（Ｂ）側の上下の針床とは、一点鎖線で示す歯口１を挟んで対向している。歯口１の下側に示す前の針床では、歯口での渡り糸が短くなる下針床を歯口に近い上側に表示する。右下がりの斜線が施されている丸印は前の針床に付属する編地２の編目を示し、左下がりの斜線が施されている丸印は後の針床に付属する編地３の編目を示す。これらの編目のうち、実線で示す丸印は表目２ａ，３ａを示し、破線で示す丸印は裏目２ｂ，３ｂを示す。点状の小さな黒丸印は、空き編針４を示す。
【０００６】
図２２の（ａ）は、特許文献１の第７図および第１１図に相当する状態を示し、前および後の針床に付属する編地２，３はそれぞれ下針床の編針に係止され、上針床の編針は空いている。（ｂ）は、（ａ）の状態から遷移して、前側に付属する編地２の１×１リブ組織を編成している状態を示す。前の針床に付属する編地２のうちの裏目２ｂを後の上針床の編針に目移ししてから、前の下針床に残す表目２ａを係止する編針と、後の上針床に目移しした裏目２ｂを係止する編針とに、編糸を交互に給糸して、１×１リブ組織を編成する。このような給糸で、歯口１を交互に横断する渡り糸２ｃが生じる。（ｃ）は、（ａ）の状態から遷移して、後側に付属する編地３の１×１リブ組織を編成している状態を示す。後の針床に付属する編地３のうちの裏目３ｂを前の上針床の編針に目移ししてから、後の下針床に残す表目３ａを係止する編針と、前の上針床に目移しした裏目３ｂを係止する編針とに交互に給糸して、１×１リブ組織を編成する。歯口１には、渡り糸３ｃが生じる。
【０００７】
このように、４枚ベッド横編機では、１×１リブ組織の筒状の片側に付属する編地２，３の表目２ａ，３ａを下針床、裏目２ｂ，３ｂを対向の上針床で編成する。このとき、編まれない対向側に付属する編地の表目および裏目は、対向の下針床の編針に係止した状態としている。編成する側と対向する側の編地を下針床に係止することによって、編成に支障が生じないように退避させることができる。したがって、（ａ）は、両側に付属する編地をそれぞれ係止して退避させておき、いずれか一方側に付属する編地を、編地同士が交差しないように編成するための中間の状態と考えることができる。
【０００８】
このように、従来は、編地同士の交差が生じるような状態では編成不可能と考えられている。それで、図２３（ａ）に示すように、前後にそれぞれ付属する編地２，３を下針床ＦＤ，ＢＤに係止して退避させ、上針床ＦＵ，ＢＵを空き編針４とする状態を仲介させている。この中間の状態から、図２３（ｂ）に示すように、一方側の編地を編成するときは、裏目を他方側で空いている上針床の編針で編成する。他方側の編地を編成するときは、逆に、中間の状態から、一方側の上針床で他方側の裏目を編成する。たとえば前針床に付属する編地２の裏目２ｂはＢＵの編針を使用して編成するなど、前後の編地２，３が交差しない状態でリブ編成を行うようにしている。
【特許文献１】特公平１−５７１７３号公報
【特許文献２】特公平３−１６４１５号公報
【特許文献３】特公平３−７５６５６号公報
【発明の開示】
【発明が解決しようとする課題】
【０００９】
図２２に示すように、４枚ベッド横編機を使用すれば、１×１リブ組織を筒状に編成することができる。ただし、（ｂ）および（ｃ）に示すように、片側に付属する編地２，３の表目２ａ，３ａを下針床、裏目２ｂ，３ｂを対向の上針床で編成するので、裏目を対向の下針床間で編成する場合に比較し、歯口１を渡る渡り糸２ｃ，３ｃの長さが長くなる。この渡り糸２ｃ，３ｃは、編目形成の際に編糸を引込む度目を小さくする調整でも吸収することはできず、たとえば１５Ｇ等のファインゲージの４枚ベッド横編機を使用する場合には、目の詰んだ１×１リブ組織が望まれるが、それを得ることは困難となる。
【００１０】
特許文献２では、熱収縮性糸をタック編みするコースを設けて、編成後の編地を熱処理して熱収縮性糸を収縮させれば、目の詰んだ裾ゴム部分などが得られるようにしている。しかしながら、編糸として熱収縮性糸などの特殊な糸を使用しなければならない。
【００１１】
本願出願の発明者は鋭意研究の結果、４枚ベッド横編機で、特殊な糸を使用することなく、目の詰んだ伸縮性の高い１×１リブ組織を筒状編地として編成する方法を見い出すに至った。本発明は、その編成方法およびデザイン装置を提供することを目的とする。
【課題を解決するための手段】
【００１２】
本発明は、歯口を挟む両側にそれぞれ上下の針床を備える４枚ベッド横編機で、表目と裏目とが交互に繰返される１×１リブ組織の編地を、両側にそれぞれ付属させながら、各側に付属する編地の両端同士を連結して筒状に編成する方法において、
各側に付属する編地を、下針床では１本おきの編針に表目を係止し、その直上の上針床の編針では裏目を係止して、下針床および上針床で編目を係止する編針間の下針床および上針床に空き編針をそれぞれ残し、一方側で編目を係止する編針が他方側の空き編針に対向する状態を中間状態として、
中間状態から、一方側の上針床の編針に係止する裏目を他方側の下針床の空き編針に移す目移しと、
目移しを受けた他方側の下針床の編針による裏目形成、および一方側の下針床で表目を係止する編針による表目形成で行う一方側の針床に付属する編地の１×１リブ編成と、
他方側の下針床で編成した裏目を一方側の下針床で表目を係止する編針の直上の上針床の編針で係止する中間状態に戻す目移しとを、
両側に付属する編地に対して交互に行うことを特徴とする４枚ベッド横編機での筒状１×１リブ編成方法である。
【００１３】
また本発明で、前記１×１リブ組織の筒状編地は、止め編成と袋編成とによる編出し部に続いて編成され、
１×１リブ組織の編成後に、前記歯口を挟んで対向する下針床間および対向する上下針床間での目移しに必要な空き編針を形成しながら、
前記一方側に付属する編地のうちで、前記他方側の下針床で編成された裏目を１つおきに、一方側の下針床で、該裏目に隣接する表目を係止する編針間の編針に目移しする第1の一方側裏目移しと、
他方側に付属する編地のうちで、一方側の下針床で編成された裏目を１つおきに、他方側の下針床で、該裏目に隣接する表目を係止する編針間の編針に目移しする第1の他方側裏目移しと、
一方側に付属する編地の残りの裏目を、一方側の下針床の編針に目移しする第2の一方側裏目移しと、
他方側に付属する編地の残りの裏目を、他方側の下針床の編針に目移しする第２の他方側裏目移しとを含む編目の配置変えを行い、
第２の一方側裏目移しまたは第２の他方側裏目移しのうちの少なくとも一方では、一方側および他方側の双方に付属する編地を歯口でそれぞれ交差させること
を特徴とする。
【００１４】
また本発明で、前記止め編成と袋編成とによる編出し部は、止め編成後に袋編成を行うように、上針床と下針床とで編成することを特徴とする。
【００１５】
また本発明で、前記止め編成と袋編成とによる編出し部は、前記一方側に付属する編地への止め編成後に該編地への袋編成の一部を編成し、前記他方側に付属する編地への止め編成後に該編地への袋編成と一方側に付属する編地への袋編成の残りとを編成するように、下針床のみで編成することを特徴とする。
【００１６】
さらに本発明は、歯口を挟む両側にそれぞれ上下の針床を備える４枚ベッド横編機で、表目と裏目とが交互に繰返される１×１リブ組織の編地を、両側にそれぞれ付属させながら、各側に付属する編地の両端同士を連結して筒状に編成するための編成データを生成するデザイン装置であって、
各側に付属する編地を、下針床では１本おきの編針に表目を係止し、その直上の上針床の編針では裏目を係止して、下針床および上針床で編目を係止する編針間の下針床および上針床に空き編針をそれぞれ残し、一方側で編目を係止する編針が他方側の空き編針に対向する状態を中間状態として、
中間状態から、一方側の上針床の編針に係止する裏目を他方側の下針床の空き編針に移す目移しと、
目移しを受けた他方側の下針床の編針による裏目形成、および一方側の下針床で表目を係止する編針による表目形成で行う一方側の針床に付属する編地の１×１リブ編成と、
他方側の下針床で編成した裏目を一方側の下針床で表目を係止する編針の直上の上針床の編針で係止する中間状態に戻す目移しとを、
両側に付属する編地に対して交互に行うように、編成データを生成することを特徴とするデザイン装置である。
【発明の効果】
【００１７】
本発明によれば、歯口の両側の下針床には１本おきの編針に表目を係止して、その直上の上針床の編針に裏目を係止する中間状態で、空いている下針床の編針を利用して対向側に付属する編地の裏目を形成するような１×１リブ編成を行うことができる。裏目を形成する編針の直上の上針床の編針も編目を係止していないので、裏目形成のための編成を支障なく行うことができる。編成後、他方側の下針床で編成した裏目を、一方側の下針床で表目を係止する編針の直上の上針床の編針に目移しして係止することによって中間状態に戻すことができる。歯口で対向する下針床の編針のみを１×１リブ組織の編成に使用するので、特殊な糸を使用することなく、目の詰んだ伸縮性の高い筒状編地を編成することができる。
【００１８】
また本発明によれば、編出し部に続いて１×１リブ編成を行い、さらに編目の配置を変えるので、セータなどの衣料を、裾や袖口の裾ゴムから開始して身頃は天竺編みなどの編み組織を主体とするような筒状編地に無縫製で編成することができる。１×１リブ編成後の編目の配置を変える際には、目移しで移動する編目を１つおきとするので、適切に空き編針を形成して、必要な目移しを完了させることができる。一方側と他方側との双方に付属する編地が歯口で交差する状態も含めるので、目移しは対向する下針床間および下針床と上針床との間でのみ可能で、ラッキングは上下の針床が一体的にのみ可能な制限があっても、目移しを行わせることができる。
【００１９】
また本発明によれば、止め編成と袋編成とによる編出し部は、止め編成後に袋編成を行うように、上針床と下針床とで編成することができる。
【００２０】
また本発明によれば、止め編成と袋編成とによる編出し部は、下針床のみで編成するので、目の詰んだ状態で編出すことができ、１×１リブ編成への移行に必要な工程も短縮することができる。
【００２１】
さらに本発明によれば、４枚ベッド横編機を使用して、目の詰んだ高い伸縮性の１×１リブ組織を筒状編地として編成するための編成データを生成することができる。
【発明を実施するための最良の形態】
【００２２】
図１は、本発明に従う４枚ベッド横編機での筒状１×１リブ編成方法の基本的な考え方を示す。図１以下でも、図２２と対応する部分には同一の表記を行い、同一の参照符を付して示すので、重複する説明は省略する。
【００２３】
（ａ）は、図２２の（ａ）に相当する状態を示すけれども、本発明では（ｂ）に示す状態に遷移してから、（ｃ）または（ｄ）に示す状態にさらに遷移して１×１リブ組織を編成する。すなわち、（ａ）では、前（Ｆ）および後（Ｂ）の針床に付属する編地２，３はそれぞれ下針床の編針に係止され、上針床はすべて空き編針４となっている。（ｂ）は、（ａ）の状態から遷移して、前後の両方で、表目２ａ，３ａは下針床、裏目２ｂ，３ｂは上針床の編針をそれぞれ使用し、１×１リブ組織の編地２，３を係止する中間状態を示す。中間状態では、表目２ａ，３ａを下針床で一つおきの編針に係止し、下針床の中間の編針を、対向側に属する編地の裏目編成に使用可能なように空き編針４としておく。上針床で裏目２ｂ，３ｂを係止する編針を、図示のように、下針床で表目２ａ，３ａを係止する編針の直上の編針（ｂ）とすれば、上下で編目を係止する編針間の中間で、上下が空き編針４となるようにすることができる。
【００２４】
（ｃ）は、（ｂ）の状態から遷移して、前側に付属する編地２の１×１リブ組織を編成している状態を示す。まず、（ｂ）のように、前の上針床で編地２の裏目２ｂを係止している編針の位置を、歯口１を挟み後の下針床で編地３の表目３ａを係止している編針に対向している状態から、後の下針床の空き編針４に対向する状態となるように、編針の配列１ピッチ分のラッキングを行う。次に、前の上針床の編針に係止している裏目２ｂを後の下針床の空き編針４に目移しして、前の下針床に残す表目２ａを係止する編針と、後の下針床に目移しした裏目２ｂを係止する編針とに、編糸を交互に給糸して、１×１リブ組織を編成する。このような給糸で、歯口１を交互に横断する渡り糸２ｄが生じる。
【００２５】
（ｄ）は、（ｂ）の状態から遷移して、後側に付属する編地３の１×１リブ組織を編成している状態を示す。まず、（ｂ）のように、後の上針床で編地３の裏目３ｂを係止している編針の位置を、歯口１を挟み前の下針床で編地２の表目２ａを係止している編針に対向している状態から、前の下針床の空き編針４に対向する状態となるように、編針の配列１ピッチ分のラッキングを行う。次に、後の上針床の編針に係止している裏目３ｂを前の下針床の空き編針４に目移しして、後の下針床に残す表目３ａを係止する編針と、前の下針床に目移しした裏目３ｂを係止する編針とに、編糸を交互に給糸して、１×１リブ組織を編成する。このような給糸で、歯口１を交互に横断する渡り糸３ｄが生じる。
【００２６】
横編機では、歯口１の上方から編糸の給糸を行う関係上、歯口１の上方にはスペースが必要であり、歯口で対向する下針床と上針床と距離を、下針床同士よりも短くすることはできない。このため、図１で生じる下針床同士間の渡り糸２ｄ，３ｄは、図２２で生じる上下の針床間の渡り糸２ｃ，３ｃよりも短くなり、図のような編成で、目の詰んだ１×１リブ組織の編地２，３を編成することができる。
【００２７】
図２から図１５までは、編出し部に続いて裾ゴム部を編成し、さらに天竺編みなどの別の編み組織に移行するような筒状の編地を４枚ベッド横編機で編成する場合の編成図の一例を示す。図１に示すような１×１リブ組織の編成は、図１０で行われる。４枚ベッド横編機としては、株式会社島精機製作所製の製品名ＳＷＧ−Ｘ１７３のコンピュータ横編機を使用するものとする。編針の駆動には、前後の針床用に、それぞれ３つのカムシステムを搭載するキャリッジを使用する。３つのカムシステムは、両側が目移しの機能、中間が編目形成の機能を有する。このため、キャリッジの走行方向に応じて先行側となるカムシステムＳ１と後行側となるカムシステムＳ３とで目移しを行い、中間のカムシステムＳ２で編成を行う。
【００２８】
コース番号は、カムシステム毎の相対的な順序を示すので、キャリッジの１回の走行で３コースが実行されることがある。使用する編針の本数は、編成すべき編地の編成データに応じて変り得ることはもちろんである。本発明は編針の配列ピッチが小さいファインゲージの場合に好適となるので、編成に使用する編針の本数は多くなる。編出し部では、１×１リブ組織の編成の準備を行うことになるけれども、説明の便宜のため、同一のウエールに連なる１×１リブ組織での編目の種別で表示する。ＢＵは後側の上針床、ＢＤは後側の下針床、ＦＤは前側の下針床、ＦＵは前側の上針床をそれぞれ示す。Ａ〜Ｐは、編成に使用する基本となる前側の編針を示し、ａ〜ｐは、編成に使用する基本となる後側の編針を示す。針床のラッキングは、前側に対して後側が相対的にずれるように振る動作を上下の針床が一体的に行う。ラッキング量が０となる位置は、前側に対して後側が右側に編針の配列の０．５ピッチ分ずれる出会いとなっているものとする。ただし、編成時は、ラッキング量０の位置よりも、後側が相対的に左に０．５ピッチ分だけずれて、前後の編針が同位相で対向するＬ０．５の出会いが基準となる。
【００２９】
図２は、準備状態Ｓと、キャリッジの右行による１〜３コース目と、キャリッジの左行による４〜６コース目とを示す。準備状態Ｓでは、後側をＬ０．５よりも１ピッチ右側に振るＲ０．５の出会いで、前側の編針Ｂ〜Ｐに後側の編針ａ〜ｏがそれぞれ対向し、抜き糸５による編成が完了している状態を示す。ＦＤでは、編針Ａと編針Ｂ〜Ｐのうちの１本おきの編針Ｂ，Ｄ，Ｆ，Ｈ，Ｊ，Ｌ，Ｎ，Ｐとで編目を係止している。ＢＤでは、編針ａ〜ｏのうちの１本おきの編針ａ，ｃ，ｅ，ｇ，ｉ，ｋ，ｍ，ｏと編針ｐとで編目を係止している。
【００３０】
キャリッジの右行によるカムシステムＳ１での１コース目は、準備状態Ｓから後側を１ピッチ分左に振るＬ０．５の出会いで、ＢＤに係止している編目をＦＵに目移しする。カムシステムＳ２での２コース目は、編糸６をＦＵの編針Ａ〜ＯからＢＤの編針ｐに給糸して、後止めの編成を行う。ＦＵの編針Ｂ，Ｄ，Ｆ，Ｈ，Ｊ，Ｌ，Ｎは、給糸前には空の編針４となっていたので、掛け目となる。カムシステムＳ３での３コース目は、ＦＵの編針Ａ〜Ｏにそれぞれ係止している編目をＢＤの編針ａ〜ｏにそれぞれ目移しする。
【００３１】
キャリッジの左行によるカムシステムＳ１での４コース目は、ＦＤに係止している編目をＢＵに目移しする。カムシステムＳ２での５コース目では、編糸６をＢＵの編針ｐ〜ｂからＦＤの編針Ａに給糸して、前止めの編成を行う。ＢＵの編針ｏ，ｍ，ｋ，ｉ，ｇ，ｅ，ｃは、給糸前には空の編針４となっていたので、掛け目となる。カムシステムＳ３での６コース目は、ＢＵの編針ｐ〜ｂにそれぞれ係止している編目をＦＤの編針Ｐ〜Ｂにそれぞれ目移しする。
【００３２】
図３は、キャリッジの右行による７〜９コース目と、キャリッジの左行による１０〜１２コース目とを示す。７コース目では、ＢＤに係止している編目をＦＵに目移しする。８コース目では、編糸６をＢＤの編針ｂ，ｄ，ｆ，ｈ，ｊ，ｌ，ｎ，ｐに給糸し、掛け目をノックオーバさせて後側で表目となる外側の袋編の１コース分を編成する。９コース目では、ＦＵにそれぞれ係止している編目をＢＤで空いている編針ａ，ｃ，ｅ，ｇ，ｉ，ｋ，ｍ，ｏにそれぞれ目移しする。１０コース目では、ＦＤに係止している編目をＢＵに目移しする。１１コース目では、編糸６を給糸し、前側で表目となる外側の袋編の１コース分を編成する。１２コース目では、１０コース目でＢＵに移した編目を、ＦＤに目移しして戻す。
【００３３】
図４は、キャリッジの右行による１３〜１５コース目と、キャリッジの左行による１６〜１８コース目とを示す。１３コース目では、ＢＤに係止している編目をＦＵに目移しする。１４コース目では、編糸６をＦＵの編針に給糸して、後側で裏目となる内側の袋編の１コース分を編成する。１５コース目では、１４コース目で編成した編目をＢＤに目移しする。ＢＤに目移しされる編目は、１３コース目でＦＵに目移しした編目を旧ループとして編成された新ループの編目となる。１６コース目では、ＦＤからＢＵに目移しを行う。１７コース目では、編糸６をＢＵの編針に給糸して、前側で裏目となる内側の袋編の１コース分を編成する。１８コース目では、１７コース目で編成した編目をＦＤに目移しする。ＦＤに目移しされる編目は、１６コース目でＢＵに目移しした編目を旧ループとして編成された新ループの編目となる。
【００３４】
図５は、キャリッジの右行による１９〜２１コース目と、キャリッジの左行による２２〜２４コース目とを示す。１９コース目では、ＢＤからＦＵへの目移しを行う。２０コース目では、ＢＤで残る編目を係止する編針ｂ，ｄ，ｆ，ｈ，ｊ，ｌ，ｍ，ｎ，ｐに編糸６を給糸して、後側で表目となる外側の袋編の１コース分を、８コース目で編成された１コース分の編目を旧ループとして編成する。２１コース目では、１９コース目でＦＵに目移しした編目をＢＤに目移しして戻す。２２コース目では、ＦＤからＢＵへの目移しを行う。２３コース目では、ＦＤで残る編目を係止する編針Ｏ，Ｍ，Ｋ，Ｉ，Ｇ，Ｅ，Ｃ，Ａに編糸６を給糸して、前側で表目となる外側の袋編の１コース分を、１１コース目で編成された１コース分の編目を旧ループとして編成する。２４コース目では、２２コース目でＢＵに目移しした編目をＦＤに目移しして戻す。
【００３５】
図６は、キャリッジの右行による２５、２６コース目と、キャリッジの左行による２７コース目と、キャリッジの右行による２８コース目とを示す。この２５〜２８コース目では、後側に付属する編地の表目と裏目の配置を左右で入替える。この入替えは、２９〜４１コース目の編目の配置変えを経て、リブ編成する際にＬ０．５の出会いとなるようにするためのものである。この入替えを行わずに編目の配置変えを行い、リブ編成の直前でＬ０．５の出会いとなるように目移しをしてもよい。
【００３６】
２５コース目でＢＤから編目の半分をＦＵへ目移しし、２６コース目でＢＤから編目の残り半分をＦＵへ目移しする。ＢＤからＦＵの目移しは一度に行うこともできるけれども、編目の数が多いと困難になるので、分けて目移しすることが好ましい。キャリッジに目移し用のカムシステムが２組搭載されている場合を想定しているので、２回に分けて目移ししても同一のキャリッジ走行中に行うことができる。次に後側を右に１ピッチ分振らせてＲ０．５の出会いとし、２７コース目として、ＦＵの編針Ｐ，Ｎ，Ｌ，Ｊ，Ｈ，Ｆ，Ｄ，ＢからＢＤの編針ｏ，ｍ，ｋ，ｉ，ｇ，ｅ，ｃ，ａへ目移しする。次に後側を左に２ピッチ分振らせてＬ１．５の出会いとし、ＦＵの編針Ａ，Ｃ，Ｅ，Ｇ，Ｉ，Ｋ，Ｍ，ＯからＢＤの編針ｂ，ｄ，ｆ，ｈ，ｊ，ｌ，ｎ，ｐへ目移しする。ＢＤでは、２４コース目での編目配置と２８コース目の編目配置とが隣接する編針間で入替る。たとえば編針ａと編針ｂとで、２４コース目では裏目と表目とをそれぞれ係止しているのに対し、２８コース目では表目と裏目とをそれぞれ係止するように、入替る。
【００３７】
図７は、２９〜３２コース目で、後側に付属する編地の裏目の半分をＢＵの編針に移す手順を示す。２９コース目では、Ｌ０．５の出会いで、ＦＤに係止している表側に付属する編地の裏目の半分をＢＵの編針ｄ，ｈ，ｉ，ｐに目移しする。目移しする裏目は、裏目全体を係止する編針Ｂ，Ｄ，Ｆ，Ｈ，Ｊ，Ｌ，Ｎ，Ｐのうちの１本おきの編針Ｄ，Ｈ，Ｌ，Ｐで係止していたものである。３０コース目では、左に１ピッチ分振らせたＬ１．５の出会いで、ＦＤで裏目を係止する残りの編針Ｂ，Ｆ，Ｊ，ＮからＢＵの編針ｃ，ｇ，ｋ，ｏに目移しする。３１コース目では、右に１ピッチ分振ってＬ０．５の出会いに戻し、ＢＤの編針ｎ，ｊ，ｆ，ｂに係止される後側に付属する編地の裏目の半分をＦＤで空けられた編針Ｎ，Ｊ，Ｆ，Ｂに目移しする。この目移しで、前後の双方に付属する編地が歯口で交差するけれども、編地が歯口を渡る位置は分離しており、編地同士が交差することはない。３２コース目では、右に１ピッチ分振るＲ０．５の出会いで、３１コース目でＦＤに目移しした裏目を、編針Ｂ，Ｆ，Ｊ，ＮからＢＵの編針ａ，ｅ，ｉ，ｍに目移しする。このようにして、図１の（ｂ）に示す裏目３ｂの半分に対する目移しが完成する。
【００３８】
図８は、３３〜３６コース目で、前側に付属する編地の裏目の半分をＦＵの編針に移す手順を示す。３３コース目では、３２コース目に対して左に２ピッチ分振らせたＬ１．５の出会いで、ＢＵの編針ｏ，ｋ，ｇ，ｃに３０コース目で目移しされた裏目をＦＤの編針Ｎ，Ｊ，Ｆ，Ｂに目移しで戻す。３４コース目では、右に１ピッチ振ってＬ０．５の出会いに戻し、２９コース目の目移しでＢＵの編針ｄ，ｈ，ｌ，ｐに残る裏目をＦＤの編針Ｄ，Ｈ，Ｌ，Ｐに目移しして戻す。３５コース目では、ＦＤの編針Ｂ，Ｆ，Ｊ，Ｎに３３コース目で戻された裏目をＢＤで空いている編針ｂ，ｆ，ｊ，ｎに目移しする。３６コース目では、左に１ピッチ分振るＬ１．５の出会いで、ＢＤの編針ｎ，ｊ，ｆ，ｂに３５コース目で目移しした裏目を、ＦＵの編針Ｍ，Ｉ，Ｅ，Ａに目移しする。このようにして、図１の（ｂ）に示す裏目２ｂの半分に対する目移しが完成する。
【００３９】
図９は、３７〜４１コース目で、残りの半分ずつの裏目をＦＵおよびＢＵにそれぞれ移す手順を示す。３７コース目では、３６コース目に対して右に３ピッチ分振らせたＲ１．５の出会いで、ＦＤの編針Ｄ，Ｈ，Ｌ，Ｐから裏目をＢＤで空いている編針ｂ，ｆ，ｊ，ｎに目移しする。３８コース目では、３７コース目に対して左に１ピッチ分振るＲ０．５の出会いで、３７コース目で目移しした裏目を、ＢＤの編針ｎ，ｊ，ｆ，ｂからＦＵの編針Ｏ，Ｋ，Ｇ，Ｃに目移しする。このようにして、図１の（ｂ）に示す裏目２ｂの残り半分に対する目移しが完成する。３９コース目では、Ｌ０．５の出会いに戻し、ＢＤの編針ｄ，ｈ，ｌ，ｐから裏目をＦＤの編針Ｄ，Ｈ，Ｌ，Ｐに目移しする。４０コース目では、Ｒ０．５の出会いで、ＦＤの編針Ｐ，Ｌ，Ｈ，ＤからＢＵの編針ｏ，ｋ，ｇ，ｃに裏目を目移しする。このようにして、図１の（ｂ）に示す裏目３ｂの残り半分に対する目移しが完成し、中間状態が得られる。４１コース目では、左に２ピッチ分振るＬ１．５の出会いで、ＢＵの編針ａ，ｃ，ｅ，ｇ，ｉ，ｋ，ｍ，ｏに係止されている裏目を、ＦＤで編針Ａの左側の空き編針から１つおきに空いている編針Ｂ，Ｄ，Ｆ，Ｈ，Ｊ，Ｌ，Ｎに目移しする。
【００４０】
図１０は、１×１リブ組織で裾ゴム部を編成する手順を示す。４２コース目では、Ｌ０．５の出会いに戻して、ＦＤで編針Ａの左側の編針から１つおきの編針Ｂ，Ｄ，Ｆ，Ｈ，Ｊ，Ｌ，ＮとＢＤの編針ａ，ｃ，ｅ，ｇ，ｉ，ｋ，ｍ，ｏとを使用し、編糸６を歯口に給糸して後側に付属する編地の１×１リブ組織を編成する。４３コース目は、１ピッチ分左に振るＬ１．５の出会いとして、４２コース目でＦＤで編成された裏目を編針Ｎ，Ｌ，Ｊ，Ｈ，Ｆ，Ｄ，Ｂおよび編針Ａの左側の編針からＢＵの編針ｏ，ｍ，ｋ，ｉ，ｇ，ｅ，ｃ，ａに目移しして中間状態に戻す。４４コース目では、ＦＵの編針Ａ，Ｃ，Ｅ，Ｇ，Ｉ，Ｋ，Ｍ，Ｏに係止している裏目を、ＢＤで空いている編針ｂ，ｄ，ｆ，ｈ，ｊ，ｌ，ｎ，ｐに目移しする。
【００４１】
４５コース目では、Ｌ０．５の出会いに戻して、ＢＤで１つおきの編針ｐ，ｎ，ｌ，ｊ，ｈ，ｆ，ｄ，ｂとＦＤで１つおきの編針Ｏ，Ｍ，Ｋ，Ｉ，Ｇ，Ｅ，Ｃ，Ａとを使用し、編糸６を歯口に給糸して前側に付属する編地の１×１リブ組織を編成する。４６コース目では、１ピッチ分左に振るＬ１．５の出会いとして、ＢＤの編針ｂ，ｄ，ｆ，ｈ，ｊ，ｌ，ｎ，ｐから、４５コース目で編成された裏目をＦＵの編針Ａ，Ｃ，Ｅ，Ｇ，Ｉ，Ｋ，Ｍ，Ｏに目移しして中間状態に戻す。４７コース目では、４１コース目に相当する目移しを行う。以下、裾ゴム部と必要なコース数の編成が終了するまで、４２〜４７コース目を繰返す。
【００４２】
図１１は、図１０に示す４５コース目の編成を終了した状態から、図１の（ａ）に示す状態に、前側に付属する編地の裏目の半分を目移しする手順を示す。４８コース目では、左に１ピッチ分振るＬ１．５の出会いにして、ＢＤの編針ｂ，ｆ，ｊ，ｎから編成された裏目の半分をＦＵの編針Ａ，Ｅ，Ｉ，Ｍに目移しする。次に、４９コース目では、Ｌ０．５の出会いに戻し、ＢＤの編針ｐ，ｌ，ｈ，ｄに残された裏目を、ＦＤの編針Ｐ，Ｌ，Ｈ，Ｄに目移しする。このようにして、図１の（ａ）に示す裏目２ｂの半分に対する目移しが完成する。
【００４３】
図１２は、後側に付属する編地の裏目の半分を目移しする手順を示す。５０コース目では、Ｌ１．５の出会いで、ＢＵの編針ｃ，ｇ，ｋ，ｏから裏目をＦＤの編針Ｂ，Ｆ，Ｊ，Ｎに目移しする。５１コース目では、Ｌ０．５の出会いに戻して、ＦＤの編針Ｎ，Ｊ，Ｆ，Ｂに目移しされた裏目をＢＤの編針ｎ，ｊ，ｆ，ｂに目移しする。５２コース目では、目移しされた裏目をＢＤの編針ｎ，ｊ，ｆ，ｂからＦＵの編針Ｎ，Ｊ，Ｆ，Ｂに目移しする。５３コース目では、ＢＤの編針ｃ，ｇ，ｋ，ｏから表目をＦＵの編針Ｃ，Ｇ，Ｋ，Ｏに目移しする。５４コース目では、Ｌ１．５の出会いとして、目移しされた表目をＦＵの編針Ｏ，Ｋ，Ｇ，ＣからＢＤの編針ｐ，ｌ，ｈ，ｄに目移しする。５５コース目では、ＦＵの編針Ｎ，Ｊ，Ｆ，Ｂに５２コース目で目移しされた裏目をＢＤの編針ｏ，ｋ，ｇ，ｃに目移しする。このようにして、図１の（ａ）に示す裏目３ｂの半分に対する目移しが完成する。
【００４４】
図１３は、前側に付属する編地の裏目の残り半分を目移しする手順を示す。５６コース目では、ＦＵの編針Ａ，Ｅ，Ｉ，Ｍに残る裏目の半分をＢＤの編針ｂ，ｆ，ｊ，ｎに目移しする。次に、５７コース目では、Ｌ０．５の出会いに戻し、ＢＤの編針ｎ，ｊ，ｆ，ｂに目移しされた裏目を、ＦＤの編針Ｎ，Ｊ，Ｆ，Ｂに目移しする。このようにして、図１の（ａ）に示す裏目２ｂの残り半分に対する目移しが完成する。
【００４５】
図１４は、後側に付属する編地の裏目の残り半分を目移しする手順を示す。５８コース目では、Ｒ０．５の出会いで、ＦＤの編針Ａ，Ｅ，Ｉ，Ｍから表目の半分をＢＵの編針で編針ａの左側となる編針、および編針ｄ，ｈ，ｌに目移しする。５９コース目では、Ｌ０．５の出会いに戻して、ＢＵの編針ｍ，ｉ，ｅ，ａから裏目をＦＤの編針Ｍ，Ｉ，Ｅ，Ａに目移しする。前後双方に付属する編地が歯口でそれぞれ交差する状態となるけれども、各編地が歯口を交差する位置は分離している。たとえば、前針床に付属する編地では、ＢＵの編針ａの左側の編針からＦＤのＢの編針に上下の針床間で渡る部分で歯口を交差するのに対して、後針床に付属する編地ではＦＤの編針ＡとＢＤの編針ａ，ｄとで下針床同士間に渡る部分で歯口を交差する。６０コース目では、Ｒ０．５の出会いで、ＢＤの編針ａ，ｅ，ｉ，ｍに係止されている表目をＦＵの編針Ｂ，Ｆ，Ｊ，Ｎに目移しする。歯口での双方の編地の交差は継続する。６１コース目では、Ｌ０．５の出会いに戻して、ＦＵの編針Ｎ，Ｊ，Ｆ，Ｂから表目をＢＤの編針ｎ，ｊ，ｆ，ｂに目移しする。歯口での双方の編地の交差は継続する。６２コース目では、５９コース目でＦＤに目移しされた表目を編針Ｍ，Ｉ，Ｅ，ＡからＢＤの編針ｍ，ｉ，ｅ，ａに目移しする。６３コース目では、Ｒ０．５の出会いとして、ＢＵで編針ａの左側の編針と、編針ｄ，ｈ，ｌに係止されている裏目を、ＦＤの編針Ａ，Ｅ，Ｉ，Ｍに目移しする。このようにして、図１の（ａ）に示す裏目３ｂの残り半分に対する目移しが完成し、前後の下針床に１×１組織の編地２，３が表目２ａ，３ａと裏目２ｂ，３ｂとに、それぞれ交互に配置される状態が完成する。
【００４６】
図１５は、６４コース目で編糸６を給糸しながら後側に付属する編地の天竺編みを行い、６５コース目で編糸６を給糸しながら前側に付属する編地の天竺編みを行う状態を示す。この６４コース目と６５コース目とは、必要なコース数となるように繰返される。なお、天竺編みは基本的な編み組織であり、他の任意の編み組織を編成することができることはもちろんである。また、編成の途中で、裏目を編成する場合は、従来の４枚ベッド横編機での編成と同様に、歯口で対向する上針床の編針を使用することもできる。天竺編みから目の詰んだ１×１リブ組織に移行させる場合は、図１１〜図１４に示す手順を逆行させればよい。
【００４７】
図１６から図１９までは、編出し部の編成の他の例として、編成は下針床のみを用い、上針床は編目の係止と目移しとに使用する編成図を示す。図１６は、準備状態Ｓと、キャリッジの右行による１〜２コース目と、キャリッジの左行による３コース目と、キャリッジの左行による４コース目と、キャリッジの右行による５コース目とを示す。準備状態Ｓでは、Ｌ０．５の出会いで、抜き糸５による編成が完了している状態を示す。ＦＤでは、編針Ａの左側の編針と、編針Ｂ〜Ｐのうちの１本おきの編針Ｂ，Ｄ，Ｆ，Ｈ，Ｊ，Ｌ，Ｎ，Ｐとで編目を係止している。ＢＤでは、編針ａの左側の編針と、編針ａと、編針ｂ〜ｎのうちの１本おきの編針ｂ，ｄ，ｆ，ｈ，ｊ，ｌ，ｎと、編針ｏとで編目を係止している。１コース目では、ＦＤの編針Ｐに係止している抜き糸５による編目をＢＤの編針ｐに目移しする。２コース目では、ＢＤの編針ａの左側の編針から編針ｏまで編糸６を給糸して後止めの編成を行う。３コース目では、右に１ピッチ分振るＲ０．５の出会いにして、ＢＤの編針ｎから１つおきの編針ｌ，ｊ．ｈ，ｆ，ｄ，ｂと、編針ａの左側の編針から、ＦＤの編針Ｏから１つおきで編針Ａまでに、目移しする。キャリッジを右行させる空コースに続く４コース目は、Ｌ０．５の出会いに戻し、ＢＤの右端の編針ｐに編糸を給糸してタック編成を行う。５コース目は、４コース目で給糸に使用した給糸部材を右方に移動させる蹴り返しを行う。
【００４８】
図１７は、キャリッジを交互に反転させる６〜１０コース目と、１０コース目と同一のキャリッジ走行で行う１１コース目の編成手順を示す。６コース目では、Ｒ０．５の出会いにして、ＦＤの１本おきの編針Ｏ，Ｍ，Ｋ，Ｉ，Ｇ，Ｅ，Ｃ，Ａに編糸６を給糸し、後側に付属する編地３で内側となる裏目の袋編を行う。７コース目では、ＢＤの編針ａから１本おきに編針ｏまで編糸６を給糸し、後側に付属する編地３で外側となる表目の袋編を行う。８コース目では、Ｌ０．５の出会いに戻して、ＦＤの１本おきの編針Ｏ，Ｍ，Ｋ，Ｉ，Ｇ，Ｅ，Ｃ，Ａと、編針Ａの左側の編針とから、編目をＢＵで対向する編針に目移しする。９コース目では、Ｒ０．５の出会いにして、ＢＵの編針ａの左側に目移しされた編目を、さらにＦＤの編針Ａに目移しする。１０コース目では、ＢＤの編針ｐと、ＦＤの編針Ｏ〜Ａとに編糸６を給糸して、前止めの編成を行う。１１コース目では、１０コース目でＦＤの編針で編成された編目を１本おきの編針Ｎ，Ｌ，Ｊ，Ｈ，Ｆ，Ｄ，ＢからＢＤで対向する編針に目移しする。
【００４９】
図１８および図１９は、１２〜２１コース目として編出し部の編成を完成させる手順を示す。図１８に示す１２コース目では、１１コース目でＢＤに目移しされた編目を係止する編針ｂ，ｄ，ｆ，ｈ，ｊ，ｌ，ｎ，ｐに編糸６を給糸して、前側に付属する編地で内側となる裏目の袋編を行う。１３コース目では、ＦＤの編針Ｏ，Ｍ，Ｋ，Ｉ，Ｇ，Ｅ，Ｃ，Ａに編糸６を給糸して、前側に付属する編地で外側となる表目の袋編の１コース分を編成する。１４コース目では、Ｌ１．５の出会いにして、ＢＤの編針ｂ，ｄ，ｆ，ｈ，ｆ，ｌ，ｎ，ｐで係止する編目をＦＵの編針Ａ，Ｃ，Ｅ，Ｇ，Ｉ，Ｋ，Ｍ，Ｏに目移しする。１５コース目では、ＢＵの編針ａ，ｃ，ｅ，ｇ，ｉ，ｋ，ｍ，ｏに係止する編目をＦＤの編針Ａの左側の編針と、編針Ｂ，Ｄ，Ｆ，Ｈ，Ｊ，Ｌ，Ｎとに目移しする。１６コース目では、Ｌ０．５の出会いに戻し、ＢＤの編針ａ，ｃ，ｅ，ｇ，ｉ，ｋ，ｍ，ｏに編糸６を給糸して、後側に付属する編地で外側となる表目の袋編の１コース分を、７コース目に続いて編成する。
【００５０】
図１９に示す１７コース目では、Ｌ１．５の出会いにして、ＦＤの編針Ｎ，Ｌ，Ｊ，Ｈ，Ｆ，Ｄ，Ｂと、編針Ａの左側の編針から、ＢＵの編針ｏ，ｍ，ｋ，ｉ，ｇ，ｅ，ｃ，ａへの目移しを行う。１８コース目では、ＦＵの編針Ｏ，Ｍ，Ｋ，Ｉ，Ｇ，Ｅ，Ｃ，ＡからＢＤの編針ｐ，ｎ，ｌ，ｊ，ｈ，ｆ，ｄ，ｂへの目移しを行う。キャリッジを右行させる空コースの後、１９コース目では、Ｌ０．５の出会いに戻して、ＦＤの編針Ｏ，Ｍ，Ｋ，Ｉ，Ｇ，Ｅ，Ｃ，Ａに編糸６を給糸して、前側に付属する編地２で外側となる表目の袋編の１コース分を、１３コース目に続いて編成する。２０コース目では、Ｌ１．５の出会いにして、ＢＤの編針ｂ，ｄ，ｆ，ｈ，ｊ，ｌ，ｎ，ｐからＦＵの編針Ａ，Ｃ，Ｅ，Ｇ，Ｉ，Ｋ，Ｍ，Ｏへの目移しを行う。この状態は、図１の（ｂ）に示す中間状態となっており、表目２ａ，３ａと裏目２ｂ，３ｂとの配置は、図９の４０コース目と同等である。２１コース目は、キャリッジの方向を除き、図９の４１コース目と同等である。したがって、以下の編成は、図１０の４２コース目以降に従って、１×１リブ組織の編成や天竺編みなどへの移行を、同様に行うことができる。図１６〜図１９の手順によれば、図２〜図９の手順に比較して、工程数を削減し、しかも下針床のみを使用して編目を編成するので、さらに目の詰んだ編出し部を編成することができる。
【００５１】
以下、本発明に従って１×１リブ組織を筒状に編成する状態について、さらに説明する。図２０は、（ａ）で図１０の４３コース目終了後の後針床での編地３の係止状態を示し、（ｂ）で前後の針床での編地２，３の係止状態を示し、（ｃ）で４５コース目の前裾編成状態を示す。（ｃ）に示すように、一方側、たとえば前針床に付属する編地２に対して１×１リブ組織を編成する場合は、他方側となる後針床の上下のベッドＢＵ，ＢＤに係止される編地３に対して交差するように裏目２ｂを編むことになる。この裏目２ｂは、（ａ）に示すように、斜めに渡る糸３ｅの間に位置する空き編針４を使って編成する。従来は、図２３について説明しているように、このような編地同士が交差する状態での編成は不可能と考えられていた。
【００５２】
すなわち、図２３では、編地２，３のリブ編成を歯口１で対向する上下の針床ＦＤ対ＢＵまたはＢＤ対ＦＵ間で行う。たとえば編針の配列ピッチが１５Ｇで目の詰んだ１×１リブ編地を得る場合は、表目２ａ，３ａに４．０ｍｍ、裏目２ｂ，３ｂに３．５ｍｍのループ長が編成可能な最小ループ長である。裏目２ｂ，３ｂは編成後の目移しで編目が拡げられるので、予め度目を裏目２ｂ，３ｂよりも表目２ａ，３ａの方が大きくなるように設定して、バランスを取る。
【００５３】
本発明では、図２０（ａ）に示すように、ＢＵでは、ＢＤで表目３ａを係止する編針の直上の編針で裏目３ｂを係止して編地３を退避するので、斜めに渡る糸３ｅの間に位置する空き編針４の直上の編針は空いていて、編目は係止されていない。編地３は、表目３ａと裏目３ｂとを係止する編針の下方がウエール方向となって、それぞれで先行して編成された編目が垂下がるけれども、斜めに渡る糸３ｅ付近には編成の余地が生じる。本発明では、従来では考えられなかったような係止状態、すなわち、退避する側の編地を上下針床間で係止する状態を利用して編成の余地を生じさせ、退避する編地に交差するようにして、対向する側の編地の裏目を退避する編地が付属する側の下針床で編むことができる。
【００５４】
本発明を適用すれば、図２０（ｃ）に示すように、１×１リブ編成を歯口１で対向する下針床ＦＤ，ＢＵ同士間で行うことができるので、編針の配列ピッチが１５Ｇの場合、従来ではできなかった、表目２ａ，３ａに３．２〜４．０ｍｍ、裏目２ｂ，３ｂに２．８〜３．３ｍｍのループ長を設定して編成することができる。特に、表目２ａ，３ａに３．２ｍｍ、裏目２ｂ，３ｂに２．８ｍｍのループ長を設定することは、目の詰んだ編地２，３を得る上で好ましい。
【００５５】
図２１は、以上で説明しているような１×１リブ組織を有する筒状編地を、４枚ベッドのコンピュータ横編機で編成するための編成データを生成するデザイン装置１０の概略的な構成と、デザイン装置１０を使用しての編成データの概略的な作成手順とを示す。
【００５６】
図２１（ａ）に示すように、デザイン装置１０は、汎用のコンピュータ１１に、編地のデザインを行うソフトウエアをインストールして実現される。コンピュータ１１には、キーボード、デジタイザ、マウスなどの入力装置１２、グラフィックディスプレイなどの表示装置１３、ＬＡＮなどを介しての外部との通信が可能な通信装置１４、各種記録媒体を着脱可能な外部記録装置１５などが接続される。ソフトウエアのインストールは、通信装置１４を介するダウンロードによって行ったり、外部記録装置１５にＣＤ−ＲＯＭやＤＶＤ−ＲＯＭなどの記録媒体を装着して行うことができる。このソフトウエアには、図２１（ｂ）に示す手順で編成データを生成するプログラムも含むようにする。
【００５７】
図２１（ｂ）に示すように、編成データを生成するプログラムが開始されると、ステップｓ１として、操作者が入力装置１２を操作し、表示装置１３に表示されるデザイン結果を見ながら、筒状編地のデザインを行い、編出し部や裾ゴムなどを含む柄データや編成仕様を入力する。次にステップｓ２では、１×１リブ組織を下針床のみで編成するか否かを操作者に問い合せる。下針床のみで編成する場合は、ステップｓ３で、図２〜図９、または図１６〜図１９に従う編出し部の編成データ、図１０に従う１×１リブ組織の編成データ、図１１〜図１５に従う天竺編みなどへ移行するための編成データなどが生成される。ステップｓ２で、１×１リブ組織を下針床のみで編成しない場合は、ステップｓ４で、上針床も編目編成に使用する編成データが生成される。ステップｓ３またはステップｓ４で生成される編成データは、ステップｓ５で出力され、通信装置１４を介して横編機に伝送されたり、外部記録装置１５からディスクやＵＳＢメモリなどの記録媒体に記録されてから横編機に入力されて、１×１リブ組織を含む筒状編地の編成が行われる。
【図面の簡単な説明】
【００５８】
【図１】本発明の実施の一形態としての編地の編成についての基本的な考え方を示す模式的な平面図である。
【図２】図１のような編地の編成に至る前の編出し部の編成方法の一例を示す部分的な編成図である。
【図３】図２に続く部分的な編成図である。
【図４】図３に続く部分的な編成図である。
【図５】図４に続く部分的な編成図である。
【図６】図５に続く部分的な編成図である。
【図７】図６に続く部分的な編成図である。
【図８】図７に続く部分的な編成図である。
【図９】図８に続く部分的な編成図である。
【図１０】図１のような編地の編成を行う部分的な編成図である。
【図１１】図１のような編地の編成後に天竺編みに至るまでの部分的な編成図である。
【図１２】図１１に続く部分的な編成図である。
【図１３】図１２に続く部分的な編成図である。
【図１４】図１３に続く部分的な編成図である。
【図１５】図１４に続く部分的な編成図である。
【図１６】図１のような編地の編成に至る前の編出し部の編成方法の他の例を示す部分的な編成図である。
【図１７】図１６に続く部分的な編成図である。
【図１８】図１７に続く部分的な編成図である。
【図１９】図１８に続く部分的な編成図である。
【図２０】本発明に従って１×１リブ組織を筒状に編成する状態について、さらに説明する模式的な正面図および側面断面図である。
【図２１】図１に示すような編地を４枚ベッド横編機で編成するための編成データを生成するデザイン装置１０の概略的な構成を示すブロック図、およびデザイン装置１０を使用する編成データの概略的な作成手順を示すフローチャートである。
【図２２】従来の４枚ベッド横編機による筒状編地編成の考え方を示す模式的な平面図である。
【図２３】従来の方法に従って４枚ベッド横編機で１×１リブ組織を筒状に編成する状態について、さらに説明する模式的な側面断面図である。
【符号の説明】
【００５９】
１  歯口
２，３  編地
２ａ，３ａ  表目
２ｂ，３ｂ  裏目
２ｄ，３ｄ  渡り糸
４  空き編針
６  編糸
１０  デザイン装置
【図１】
2007291551.tif 000003
【図２】
2007291551.tif 000004
【図３】
2007291551.tif 000005
【図４】
2007291551.tif 000006
【図５】
2007291551.tif 000007
【図６】
2007291551.tif 000008
【図７】
2007291551.tif 000009
【図８】
2007291551.tif 000010
【図９】
2007291551.tif 000011
【図１０】
2007291551.tif 000012
【図１１】
2007291551.tif 000013
【図１２】
2007291551.tif 000014
【図１３】
2007291551.tif 000015
【図１４】
2007291551.tif 000016
【図１５】
2007291551.tif 000017
【図１６】
2007291551.tif 000018
【図１７】
2007291551.tif 000019
【図１８】
2007291551.tif 000020
【図１９】
2007291551.tif 000021
【図２０】
2007291551.tif 000022
【図２１】
2007291551.tif 000023
【図２２】
2007291551.tif 000024
【図２３】
2007291551.tif 000025